(57)【要約】【課題】  本発明は釣り用重りに係り、繰り返しの使用が可能で、釣糸への取付けや取り外しが容易に行える釣り用重りを提供することを目的とする。【解決手段】  請求項１に係る発明は、釣糸が挿入される挟持溝が形成され、当該挟持溝に釣糸を挿入して挟持溝を閉じて釣糸に係止される釣り用重りであって、前記挟持溝の背面側に、当該挟持溝を開閉するための開口部を設けると共に、当該挟持溝を閉じる方向に付勢する付勢部材を備えたことを特徴とする。  そして、請求項２に係る発明は、請求項１に記載の釣り用重りに於て、前記付勢部材の付勢力に抗して開口部を閉じる方向に操作することで挟持溝が開き、開口部を閉じる力を解除することで、付勢部材が挟持溝を閉じる方向に付勢することを特徴とする。【選択図】    図１
2007252258.tif 000002
【特許請求の範囲】
【請求項１】
釣糸が挿入される挟持溝が形成され、当該挟持溝に釣糸を挿入して挟持溝を閉じて釣糸に係止される釣り用重りであって、
前記挟持溝の背面側に、当該挟持溝を開閉するための開口部を設けると共に、
当該挟持溝を閉じる方向に付勢する付勢部材を備えたことを特徴とする釣り用重り。
【請求項２】
前記付勢部材の付勢力に抗して開口部を閉じる方向に操作することで挟持溝が開き、開口部を閉じる力を解除することで、付勢部材が挟持溝を閉じる方向に付勢することを特徴とする請求項１に記載の釣り用重り。
【請求項３】
前記挟持溝と開口部との間に、当該挟持溝が開閉する回動支点部を設けたことを特徴とする請求項１または請求項２に記載の釣り用重り。
【請求項４】
前記開口部の近傍に、開口部を閉じる突起状のツマミを設けたことを特徴とする請求項１乃至請求項３のいずれか１項に記載の釣り用重り。
【発明の詳細な説明】
【技術分野】
【０００１】
本発明は釣糸等に取り付ける釣り用重りに係り、詳しくは、従来、「かみつぶし重り」と称される釣り用重りの改良に関する。
【背景技術】
【０００２】
従来、釣糸等に取り付ける釣り用重りとして、「かみつぶし重り」と称される釣り用重りが知られており、略球状の鉛玉等からなる重りに断面が略Ｖ字状の挟持溝（割溝）を設け、この挟持溝に釣糸を挿入し、ペンチ等で重りを挟んでこの挟持溝を閉じることで、釣糸の途中に係止する構造となっている。
しかし、この重りは、一度閉じてしまうとなかなか挟持溝を開くことができず、また、開くことができても重りが変形したり重りにひびが生じる等、開閉操作で重りの閉じ力がなくなって繰り返しの開閉ができなくなる不具合が指摘されていた。
【０００３】
そこで、特許文献１には、前記挟持溝を閉じるのに大きな力を必要とせず、また、挟持溝を閉じた後、この挟持溝を容易に開くことができるように、挟持溝の背面側にスリットを設けた重りが開示されている。
また、特許文献２には、重りの外周縁に切欠円形状のバネを挟持溝と直交する角度に装着して、挟持溝をそのバネ力で閉じるようにした重りが開示されている。
【０００４】
而して、特許文献１の従来例によれば、挟持溝を閉じて釣糸に重りを係止した状態でスリットが開いた状態になるため、スリットの両側に力を作用させてスリットを閉じれば、挟持溝が開いて釣糸を重りから簡単に取り外すことができ、また、特許文献２の従来例にあっては、バネによって釣糸を強固に挟持して重りの脱落防止が図れる利点を有する。
【特許文献１】特開２００５−２２９９４０号公報
【特許文献２】実公平４−５５５１１号公報
【発明の開示】
【発明が解決しようとする課題】
【０００５】
しかし乍ら、特許文献１に開示された重りは、挟持溝の背面側にスリットを設けた結果、閉じた挟持溝を容易に開くことができる反面、長期に亘る使用で重りが変形したり重りにひびが生じる等、依然として従来と同様の課題が残されている。
一方、特許文献２に開示された重りは、挟持溝をバネで閉じるだけでバネ力に抗して挟持溝を開くことが難しく、バネを外さなければ挟持溝を開くことができず、また、挟持溝を開いた状態を維持できないため、釣糸の取付けや取り外し操作が面倒であるのが実情であった。
【０００６】
本発明は斯かる実情に鑑み案出されたもので、繰り返しの使用が可能で、また、釣糸への取付けや取り外しが容易に行える釣り用重りを提供することを目的とする。
【課題を解決するための手段】
【０００７】
斯かる目的を達成するため、請求項１に係る発明は、釣糸が挿入される挟持溝が形成され、当該挟持溝に釣糸を挿入して挟持溝を閉じて釣糸に係止される釣り用重りであって、前記挟持溝の背面側に、当該挟持溝を開閉するための開口部を設けると共に、当該挟持溝を閉じる方向に付勢する付勢部材を備えたことを特徴とする。
そして、請求項２に係る発明は、請求項１に記載の釣り用重りに於て、前記付勢部材の付勢力に抗して開口部を閉じる方向に操作することで挟持溝が開き、開口部を閉じる力を解除することで、付勢部材が挟持溝を閉じる方向に付勢することを特徴とする。
【０００８】
また、請求項３に係る発明は、請求項１または請求項２に記載の釣り用重りに於て、前記挟持溝と開口部との間に、当該挟持溝が開閉する回動支点部を設けたことを特徴とし、請求項４に係る発明は、請求項１乃至請求項３のいずれか１項に記載の釣り用重りに於て、前記開口部の近傍に、開口部を閉じる突起状のツマミを設けたことを特徴とする。
【発明の効果】
【０００９】
請求項１乃至請求項３に係る発明によれば、従来に比し繰り返し使用することができると共に、釣糸への取り付けと取り外しが片手で容易にできる利点を有する。
そして、請求項４に係る発明によれば、開口部を閉じる突起状のツマミを設けたことで、更に釣糸への取り付けや取り外しが容易となる利点を有する。
【発明を実施するための最良の形態】
【００１０】
以下、本発明の実施形態を図面に基づいて詳細に説明する。
図１乃至図３は請求項１乃至請求項４の第一実施形態に係る釣り用重り（かみつぶし重り）を示し、図中、１は鉛や、金属粉末を混入して比重を大きくした合成樹脂で球状に形成された釣り用重り３の重り本体で、重り本体１には、釣糸５を挟持するための幅狭なスリット状の挟持溝（割溝）７が、重り本体１の上下方向に亘って重り本体１の中心を越える深さで形成されている。
【００１１】
尚、本実施形態は重り本体１を球状に形成したが、紡錘形等適宜の大きさ，形状に形成してもよい。
また、挟持溝７の背面側には、当該挟持溝７を開閉するための開口部９が重り本体１の上下方向に亘って断面Ｖ字状に形成されており、当該開口部９と挟持溝７との間で、一対の断面略半円形状の挟持部１１，１３が連結されて一体形成された構造となっている。そして、重り本体１は折り曲げ（変形）可能な鉛や合成樹脂材料で形成されているため、両挟持部１１，１３を連結する挟持溝７と開口部９の間が挟持部１１，１３の回動支点部１５として機能し、後述するように開口部９を閉じて挟持溝７を開くときは、この回動支点部１５を変形させて行うようになっている。
【００１２】
回動支点部１５は、両挟持部１１，１３の互いの位置を挟持溝７を開閉する方向に回動するように変位させる支点となる部分である。
そして、開口部９近傍の左右両側には、開口部９を閉じる際に指１７を掛ける複数の突起状のツマミ１９が上下に設けられており、斯かるツマミ１９を利用して開口部９の両側を容易に片手で押圧でき、片手で挟持溝７の開く操作と閉じる操作の両方ができるようになっている。
【００１３】
更に、重り本体１の外周に沿って前記開口部９と交差する方向に溝２１が設けられている。そして、当該溝２１に、ステンレスやニッケル，チタン合金等のバネ鋼からなる平面視略Ｃ字状のリング部材２３が嵌着されており、リング部材２３の両端部２５は内方へ折曲されて、挟持溝７近傍の重り本体１に設けた左右の係止孔２７に係止されている。
そして、このリング部材２３は、挟持溝７が閉じる方向に前記挟持部１１，１３を押圧する付勢部材として機能し、図３に示すようにツマミ１９に指１７を掛け、リング部材２３のバネ力に抗して開口部９の両側を矢印方向へ押圧して開口部９を閉じると挟持溝７が開き、そして、斯かる状態で指１７をツマミ１９から離す等して開口部９を閉じる力を解除すると、リング部材２３の復元力で挟持溝７が閉じるようになっている。
【００１４】
尚、図１に示すように複数のツマミ１７はリング部材２３の上下に配され、その中間にリング部材２３が架け渡されている。
本実施形態はこのように構成されているから、釣り用重り３を釣糸５に取り付けるには、図３に示すようにツマミ１９に指１７を掛けて、リング部材２３のバネ力に抗して開口部９の両側を矢印方向へ押圧すれば、回動支点部１５が変形し乍ら、一対の挟持部１１，１３が回動支点部１５を中心に同方向へ回動して開口部９が閉じられ、これに連動して挟持溝７が片手で簡単に開く。そして、指１７で開口部９の両側を押圧している間は、挟持溝７を開いた状態に維持できる。
【００１５】
而して、この状態で挟持溝７内に釣糸５を挿入した後、指１７をツマミ１９から離す等して開口部９を閉じる力を解除すれば、リング部材２３の復元力で回動支点部１５が変形し乍ら、挟持部１１，１３が回動支点部１５を中心に逆方向へ回動して挟持溝７が閉じ、両挟持部１１，１３で釣糸５が挟持溝７内に挟持されて釣り用重り３が釣糸５に取り付くこととなる。
【００１６】
また、例えば釣糸５に対する釣り用重り３の取付位置を変える必要があったり、他の仕掛け等に取り付けるために釣糸５から釣り用重り３を取り外すには、再び、図３の如くツマミ１９に指１７を掛け、リング部材２３のバネ力に抗して開口部９の両側を矢印方向へ押圧して開口部９を閉じれば、挟持溝７が開いて釣糸５から釣り用重り３を簡単に取り外すことができる。
【００１７】
この後、指１７をツマミ１９から離せば、リング部材２３の復元力で挟持溝７が閉じ、これを例えば他の仕掛けに取り付けるには、再度、図３の如くツマミ１９に指１７を掛けて、以下、同様の手順を繰り返せばよい。
そして、長期に亘る使用で回動支点部１５が疲労しても、一対の挟持部１１，１３はリング部材２３で保持されているため、挟持部１１，１３の位置関係は維持され、繰り返しの使用が可能となる。
【００１８】
このように本実施形態に係る釣り用重り３によれば、特許文献１の従来例に比し繰り返し釣糸５の挟持と釣糸５からの取り外しができ、また、特許文献２の従来例に比し極めて容易に釣糸５への取り付けと取り外しが片手でできる利点を有する。
図４及び図５は請求項１乃至請求項４の第二実施形態に係る釣り用重りを示し、本実施形態に係る釣り用重り３-1は、前記リング部材２３に代え、開口部９内に合成樹脂やゴム等の可撓性を有する材料からなる弾性体２９を、挟持溝７が閉じる方向に挟持部１１-1，１３-1を押圧する付勢部材として充填または貼着したもので、弾性体２９の外周は球状に形成された重り本体１-1の外周と面一に形成されている。
【００１９】
尚、その他の構成は図１の実施形態と同様であるので、同一のものには同一符号を付してそれらの説明は省略する。
本実施形態はこのように構成されているから、釣り用重り３-1を釣糸に取り付けるには、図５に示すようにツマミ１９に指１７を掛けて、弾性体２９の弾性力に抗して開口部９の両側を矢印方向へ押圧すれば、回動支点部１５が変形し乍ら、一対の挟持部１１-1，１３-1が回動支点部１５を中心に同方向へ回動して開口部９が閉じられ、これに連動して挟持溝７が片手で簡単に開く。
【００２０】
そして、この状態で挟持溝７内に釣糸を挿入した後、指１７をツマミ１９から離す等して開口部９を閉じる力を解除すれば、弾性体２９の復元力で回動支点部１５が変形し乍ら、挟持部１１-1，１３-1が回動支点部１５を中心に逆方向へ回動して挟持溝７が閉じ、両挟持部１１-1，１３-1で釣糸が挟持溝７内に挟持されて釣り用重り３-1が釣糸に取り付くこととなる。
【００２１】
また、例えば釣糸に対する釣り用重り３-1の取付位置を変える場合には、再び、図５の如くツマミ１９に指１７を掛け、弾性体２９の弾性力に抗して開口部９の両側を矢印方向へ押圧して開口部９を閉じれば、挟持溝７が開いて釣糸から釣り用重り３-1を簡単に取り外すことができる。
この後、指１７をツマミ１９から離せば、弾性体２９の復元力で挟持溝７が閉じ、これを例えば他の仕掛けに取り付けるには、再度、図３の如くツマミ１９に指１７を掛けて、以下、同様の手順を繰り返せばよい。
【００２２】
そして、長期に亘る使用で回動支点部１５が疲労しても、一対の挟持部１１-1，１３-1は弾性体２９に取り付けられて保持されているため、挟持部１１-1，１３-1の位置関係は維持され、繰り返しの使用が可能となる。
従って、本実施形態によっても、前記釣り用重り３と同様、長期に亘って繰り返しの使用が可能であり、また、従来に比し極めて容易に釣糸への取り付けと取り外しが片手でできる利点を有する。
【００２３】
図６及び図７は請求項１乃至請求項４の第三実施形態を示し、本実施形態は、一対の断面略半円形状の挟持部１１-2，１３-2を鉄，ステンレス，真鍮，銅，タングステン，錫，ビスマスまたはこれらの合金等で別体に形成してこれらを向かい合わることで、一方側に挟持溝７が開口し、他方側に開口部９が開口する釣り用重り３-2の球状の重り本体１-2を形成したものである。
【００２４】
そして、挟持溝７と開口部９の間に、挟持部１１-2の上下方向に亘って設けた断面半円状の凹部３１内に、挟持部１３-2の上下方向に亘って設けた断面半円状の凸部３３を回動自在に嵌合させて回動支点部３５を形成している。
尚、その他の構成は図１の実施形態と同様であるので、同一のものには同一符号を付してそれらの説明は省略する。
【００２５】
本実施形態はこのように構成されており、本実施形態によっても、既述した第一，第二実施形態と同様、所期の目的を達成することが可能で、従来に比し容易に釣糸への取り付けと取り外しが片手でできる利点を有する。
また、本実施形態は、一対の挟持部１１-2，１３-2を別体に形成してこれらを回動支点部３５を介して回動可能としたので、前記釣り用重り３に比し、長期に亘る使用で重り本体１-2が疲労することがなく、長期に亘って繰り返しの使用が可能である。
【００２６】
図８及び図９は請求項１乃至請求項４の第四実施形態を示し、本実施形態は、一対の断面略半円形状の挟持部１１-3，１３-3を前記挟持部１１-2，１３-2と同一材料で別体に形成してこれらを向かい合わることで、一方側に挟持溝７が開口し、他方側に開口部９が開口する釣り用重り３-3の球状の重り本体１-3を形成している。
そして、挟持溝７と開口部９の間に、両挟持部１１-3，１３-3の上下方向に亘って断面半円状の凹部３７，３９を設けると共に、両凹部３７，３９内に１本の丸棒状の回動支軸４１を介在させて回動支点部４３を形成したものである。
【００２７】
尚、その他の構成は図１の実施形態と同様であるので、同一のものには同一符号を付してそれらの説明は省略する。
本実施形態はこのように構成されており、本実施形態によっても、図６の釣り用重り３-2と同様、容易に釣糸への取り付けと取り外しが片手でできると共に、長期に亘る使用で重り本体１-3が疲労することがなく、長期に亘って繰り返しの使用が可能である。
【００２８】
図１０及び図１１は請求項１乃至請求項４の第五実施形態を示し、本実施形態は、一対の断面略半円形状の挟持部１１-4，１３-4を前記挟持部１１-2，１３-2と同一材料で別体に形成してこれらを向かい合わることで、一方側に閉じられた挟持溝７が形成され、他方側に開口部９が開口する釣り用重り３-4の球状の重り本体１-4を形成している。
そして、開口部９の開閉時に当接する両挟持部１１-4，１３-4の接合端部４５，４７は夫々アール状に形成されており、両挟持部１１-4，１３-4の互いの位置は、接合端部４５，４７が当接し乍ら挟持溝７が開閉する方向に回動するように変位し、本実施形態は斯かる接合端部４５，４７で回動支点部４９を形成している。
【００２９】
また、図１２及び図１３は請求項１乃至請求項４の第六実施形態を示し、本実施形態は、一対の挟持部１１-5，１３-5を前記挟持部１１-4，１３-4と同一材料で別体に形成してこれらを向かい合わることで、一方側に閉じられた挟持溝７が形成され、他方側に開口部９が開口する釣り用重り３-5の球状の重り本体１-5を形成している。
そして、本実施形態も、開口部９の開閉時に当接する両挟持部１１-5，１３-5の接合端部５１，５３を夫々アール状に形成して、両接合端部５１，５３で回動支点部５５を形成しているが、本実施形態は、図１０のリング部材２３に代え、回動支点部５５近傍の両挟持部１１-5，１３-5にバネ鋼からなる１枚の板バネ５７を埋設して、これを挟持溝７が閉じる方向に挟持部１１-5，１３-5を押圧する付勢部材としたものである。
【００３０】
更にまた、図１４及び図１５は請求項１乃至請求項４の第七実施形態を示し、本実施形態は、前記挟持部１１-5，１３-5と同一材料を用いてこれらと同一形状に形成した一対の挟持部１１-6，１３-6を、１つのねじりコイルバネ５９を用いて向かい合わることで、一方側に挟持溝７が開口し、他方側に開口部９が開口する釣り用重り３-6の球状の重り本体１-6を形成したもので、本実施形態では、開口部９の開閉時に両挟持部１１-6，１３-6は当接せず、前記ねじりコイルバネ５９が回動支点部として機能するようになっている。
【００３１】
尚、図１０乃至図１５の各実施形態に於て、その他の構成は図１の実施形態と同様であるため、同一のものには同一符号を付してそれらの説明は省略する。
而して、これらの各実施形態によっても、所期の目的を達成することが可能で、容易に釣糸への取り付けと取り外しが片手でできると共に、長期に亘る使用で重り本体１-4，１-5，１-6が疲労することがなく、長期に亘って繰り返しの使用が可能である。
【００３２】
図１６及び図１７は請求項１乃至請求項４の第八実施形態を示し、本実施形態は、一対の断面略半円形状の挟持部１１-7，１３-7を前記挟持部１１-2，１３-2と同一材料で別体に形成してこれらを向かい合わることで、一方側に閉じられた挟持溝７が形成され、他方側に開口部９が開口する釣り用重り３-7の球状の重り本体１-7を形成している。
そして、図４の釣り用重り３-1と同様、開口部９内に合成樹脂やゴム等で形成された弾性体２９が充填または貼着されており、弾性体２９の外周は重り本体１-7の外周と面一に形成されている。そして、開口部９の開閉時に当接する両挟持部１１-7，１３-7の接合端部６１，６３は夫々所定の角度を以って形成されているが、本実施形態は斯かる接合端部６１，６３で回動支点部６５を形成している。
【００３３】
本実施形態はこのように構成されているから、図４の釣り用重り３-1と同様、釣り用重り３-7を釣糸に取り付けるには、図１７に示すようにツマミ１９に指１７を掛けて、弾性体２９の弾性力に抗して開口部９の両側を矢印方向へ押圧すれば、挟持部１１-7，１３-7が回動支点部６５を中心に同方向へ回動して開口部９が閉じられ、これに連動して挟持溝７が片手で簡単に開く。
【００３４】
そして、この状態で挟持溝７内に釣糸を挿入した後、指１７をツマミ１９から離す等して開口部９を閉じる力を解除すれば、弾性体２９の復元力で挟持部１１-7，１３-7が回動支点部６５を中心に逆方向へ回動して挟持溝７が閉じ、両挟持部１１-7，１３-7で釣糸が挟持溝７内に挟持されて釣り用重り３-7が釣糸に取り付くこととなる。
また、例えば釣糸に対する釣り用重り３-7の取付位置を変える場合には、再び、図１７の如くツマミ１９に指１７を掛け、弾性体２９の弾性力に抗して開口部９の両側を矢印方向へ押圧して開口部９を閉じれば、挟持溝７が開いて釣糸から釣り用重り３-1を簡単に取り外すことができる。
【００３５】
従って、本実施形態によっても、容易に釣糸への取り付けと取り外しが片手でできると共に、長期に亘る使用で重り本体１-7が疲労することもなく、長期に亘って繰り返しの使用が可能である。
【図面の簡単な説明】
【００３６】
【図１】請求項１乃至請求項４の第一実施形態に係る釣り用重りの全体斜視図である。
【図２】図１に示す釣り用重りの断面図である。
【図３】釣糸への取付けまたは釣糸からの取外し方法を示す釣り用重りの断面図である。
【図４】請求項１乃至請求項４の第二実施形態に係る釣り用重りの断面図である。
【図５】釣糸への取付けまたは釣糸からの取外し方法を示す釣り用重りの断面図である。
【図６】請求項１乃至請求項４の第三実施形態に係る釣り用重りの断面図である。
【図７】釣糸への取付けまたは釣糸からの取外し方法を示す釣り用重りの断面図である。
【図８】請求項１乃至請求項４の第四実施形態に係る釣り用重りの断面図である。
【図９】釣糸への取付けまたは釣糸からの取外し方法を示す釣り用重りの断面図である。
【図１０】請求項１乃至請求項４の第五実施形態に係る釣り用重りの断面図である。
【図１１】釣糸への取付けまたは釣糸からの取外し方法を示す釣り用重りの断面図である。
【図１２】請求項１乃至請求項４の第六実施形態に係る釣り用重りの断面図である。
【図１３】釣糸への取付けまたは釣糸からの取外し方法を示す釣り用重りの断面図である。
【図１４】請求項１乃至請求項４の第七実施形態に係る釣り用重りの断面図である。
【図１５】釣糸への取付けまたは釣糸からの取外し方法を示す釣り用重りの断面図である。
【図１６】請求項１乃至請求項４の第八実施形態に係る釣り用重りの断面図である。
【図１７】釣糸への取付けまたは釣糸からの取外し方法を示す釣り用重りの断面図である。
【符号の説明】
【００３７】
１，１-1，１-2，１-3，１-4，１-5，１-6，１-7  重り本体
３，３-1，３-2，３-3，３-4，３-5，３-6，３-7  釣り用重り
５  釣糸
７  挟持溝
９  開口部
１１，１１-1，１１-2，１１-3，１１-4，１１-5，１１-6，１１-7，１３，１３-1，１３-2，１３-3，１３-4，１３-5，１３-6，１３-7  挟持部
１５，３５，４３，４９，５５，６５  回動支点部
１９  ツマミ
２３  リング部材
２９  弾性体
４１  回動支軸
５７  板バネ
５９  ねじりコイルバネ
【図１】
2007252258.tif 000003
【図２】
2007252258.tif 000004
【図３】
2007252258.tif 000005
【図４】
2007252258.tif 000006
【図５】
2007252258.tif 000007
【図６】
2007252258.tif 000008
【図７】
2007252258.tif 000009
【図８】
2007252258.tif 000010
【図９】
2007252258.tif 000011
【図１０】
2007252258.tif 000012
【図１１】
2007252258.tif 000013
【図１２】
2007252258.tif 000014
【図１３】
2007252258.tif 000015
【図１４】
2007252258.tif 000016
【図１５】
2007252258.tif 000017
【図１６】
2007252258.tif 000018
【図１７】
2007252258.tif 000019